(57)【要約】      （修正有）【課題】充電方式で補聴器の電量補充が可能であり、いつでもどこでも、年長者でも容易に操作・使用することができ、利便性の高い充電式補聴器の提供。【解決手段】充電器１０及び補聴器本体３０から構成され、該充電器１０は携帯に便利な箱体であり、該箱体内に電池室及び収納槽２０が設けられ、該電池室に電池を設置して電源の供給を行うと共に、該収納槽２０に補聴器本体３０が収納され、該収納槽２０上部両側に支持片２１が設けられ、該収納槽２０底部の周縁部に充電接触端子１７が設置され、補聴器本体３０の底部を収納槽２０内に、上部を支持片２１内にそれぞれ挿入すると、補聴器本体３０の接続端子が充電接触端子に円滑に接触し、微量の電圧値で迅速に充電が行われ、同時に該収納槽２０上部に保護蓋１１を設置した。【選択図】図２
2006115438.tif 000002
【特許請求の範囲】
【請求項１】
補聴器本体及び充電器から構成され、充電器は体積が小さい箱体を呈し、充電器内に回路板及び電池を設け、さらに充電器上に少なくとも１つの収納槽を設け、該収納槽内に充電接触端子を設け、補聴器本体が該収納槽内に挿入されると共に、該補聴器本体内に充電回路を設け、一端にイヤプラグカバーが被せられ、別の一端に充電回路と接続された充電接触端子を設けた、充電式補聴器。   
【請求項２】
前記のうち、該補聴器本体の回路板が、マイクロフォン、複数の抵抗器、複数の蓄電器、複数のトランジスタ及びスピーカから構成され、そのうち、複数の蓄電器は電源を供給する充放電蓄電器を１つ含み、音声信号が複数のトランジスタから成る増幅電路を経て増幅され、スピーカから出音される、請求項１に記載の充電式補聴器。
【請求項３】
前記のうち、該複数の抵抗器がマイクロフォン音量を調整する可変抵抗器を１つ含み、該可変抵抗器が補聴器本体の周縁部に設置され、外部に設けた音量調整ボタンと接続された、請求項２に記載の充電式補聴器。  
【請求項４】
前記のうち、該充電器の回路板に挿入口を設け、交流を直流に変換する（ＡＣ／ＤＣ）の変圧器により屋内電源を充電エネルギー源として提供する、請求項１に記載の充電式補聴器。
【請求項５】
前記のうち、該充電器が太陽エネルギーパネルにより太陽エネルギーを吸収し、電源に変換して補聴器本体の充電に用いる、請求項１に記載の充電式補聴器。  
【請求項６】
前記のうち、該イヤプラグカバー中央に凸部ヲ儲け、該凸部の横に複数の出音用の開孔を設けた、請求項１に記載の充電式補聴器。
【請求項７】
前記のうち、該充電器の収納槽の片側に保護蓋を設け、且つ、収納槽上縁部両側に支持片を突出させて設けた、請求項１に記載の充電式補聴器。
【発明の詳細な説明】
【技術分野】
【０００１】
本発明は、充電式補聴器に関し、特に、現有の補聴器の構造を改良し、充電式で電圧源を補うことができ、外出先での使用者による補聴器の操作における利便性が高く、同時に、電池費用関連の支出を大幅に節約でき、且つ、補聴器の使用寿命を延長することができる、充電式補聴器に関する。      
【背景技術】
【０００２】
聴覚障害者にとって、補聴器製品の発明は最大の福音であり、且つ、さまざまな聴力喪失の種類と程度に応じ、多様な聴力補助設備が多くの機能と特性を提供し、個人の異なる必要性に対応している。今日の補聴器はすでにプログラム化されたり、微小な音声の変化に対し自動的に反応させたりすることができ、よりクリアではっきりとした音声とより良い音声理解能力が提供されている。
【０００３】
しかしながら、従来の補聴器における電源補充方式の多くが、従来の補聴器の構造において電池用凹み部が設けられ、該電池用凹み部は、軸支された蓋が連結されており、電源不足で電池を交換する必要がある場合、使用者は注意深く製造体積が極めて小さいこの部品を開き、古い電池を取り出した後、新しい電池を入れなければ成らない。しかし、一般に老年層の人々が補聴器を使用する最大のグループであるため、このような経常的な電池交換の作業は老人たちにとっては極めて不便である。従来の補聴器における使用上の欠点を以下にまとめる。
【０００４】
１、補聴器の部品は極めて小さく、視力が優れない使用者にとって部品の操作が困難であり、且つ、手のふるえが起きやすく、握るのが困難で不便である。
２、聴器で使用する電池はサイズが非常に小さく、陰極と陽極の判別が容易ではなく、使用者が装着する際に誤って挿入することがよくあり、電池収納部のカバーが引っ掛かり、カバーを力ずくで押し入れようとして引っ掛かりの突起部が断裂してしまうことがあり、電池をしっかりと固定することができなくなって破損を引き起こし、これが補聴器の使用寿命短縮の主因となっている。
３、一般の補聴器で使用される電池は、体積容量が極めて小さく、一日の使用時間を6時間として計算すると、約5日で電池の電量を消耗しきってしまう。1日8時間の使用時間として計算すると、約３.７５日で電池１つ使用する計算となり、年間約100個の電池が必要となる。さらに、電池１つを新台湾元100元として換算すると、補聴器の使用者は電池の費用として年間新台湾ドル1万元という高額な費用を支払うことになり、金銭面だけをみても、非常に不経済である。
４、前述の計算によれば、補聴器の使用者は年間約100個の電池を消耗するが、この大量の廃棄電池は環境問題につながり、未だきちんと回収が行われていない多くの廃棄電池は、重大な環境公害問題を引き起こしかねない。
５、従来の補聴器は、使用中に電量が不足すると、明るい場所で電池交換を行う必要があるが、映画を見ているときや、夜間の屋外での行動、夜間の車の中などにおいては、すぐに電池交換作業に十分な明かりを得ることができず、極めて不便であり、自身の聴力が一時的に制限を受け、理想的とはいえない。
【０００５】
上述の問題点に鑑みて、本発明は従来構造の欠点を排除し、外在環境の影響を受けず、使用に便利な充電式補聴器を提供し、従来の補聴器の使用上の不便さを改善する。
【発明の開示】
【発明が解決しようとする課題】
【０００６】
本発明の主な目的は、充電方式で補聴器の電量を補充することができる充電式補聴器を提供することにある。
【０００７】
本発明の別の目的は、該充電式補聴器に携帯可能な充電器を設け、且つ、充電器と補聴器の組み合わせ設計が単純であり、年長者でも容易に操作・使用することができ、いつでもどこでも充電を行うことができ、利便性の高い充電式補聴器を提供することにある。
【０００８】
本発明のさらに別の目的は、電池を交換する手間をなくし、電池の正負電極を誤って反対に挿入するのを防ぎ、同時に電池の挿入ミスによる電池カバーの突起部断裂の発生を回避した、充電式補聴器を提供することにある。
【０００９】
本発明のさらに別の目的は、充電器が交流電流を直流電流に変換し充電に使用することができ、且つ、太陽エネルギーパネルで太陽エネルギーを吸収し、電源に変換して充電に使用することができる、充電式補聴器を提供することにある。
【課題を解決するための手段】
【００１０】
上述の目的を達成するため、本発明の充電式補聴器は、充電器及び補聴器本体を含んで成り、充電器は携帯に便利な箱体であり、該箱体に電池室及び収納槽を設け、該電池室には電池を設置し電源供給を行うだけでなく、さらに内部にブラシ及び２つのイヤプラグカバーを設置することができ、該収納槽は補聴器本体を収納し、該収納槽上部両側に支持片を設け、収納槽底部の周縁部に充電接触端子を設置し、且つ、該補聴器本体底部の周縁部に接続端子を設け、補聴器本体底部を収納槽内に挿入し、さらに補聴器本体の上部を支持片内に挿入すると、補聴器本体の接続端子が充電接触端子と円滑に接触し、微量の電圧値で迅速に充電を行うことができ、同時に該収納槽上部に保護蓋を設ける。
【発明を実施するための最良の形態】
【００１１】
以下、本発明の特徴と構造について、具体的な実施例に基づき、詳細に説明する。
【実施例１】
【００１２】
図１、図２に示すように、本発明の充電式補聴器は、充電器１０及び補聴器本体３０を含み、該充電器１０は携帯に便利な箱体を呈し、且つ、該箱体は２つの殼体により回路板１８及び充電接触端子１７をその内部に包覆し、該回路板１８は挿入口１９を備え、且つ、該充電接触端子１７は箱体上部に斜め方向に設けられ、充電接触端子１７が箱体上端部の収納槽２０内に露出され、該収納槽２０の上縁部両側に支持片２１を設け、該収納槽２０の片側に軸棒２２を用いて保護蓋１１が軸支され、該保護蓋１１上の別の片側に係合片１５が設けられ、蓋を閉じた時、該係合片１５が充電器箱体１０に設けた係合槽２３（図７に示す）に弾性的に係合され、充電中の補聴器本体３０の遺失を防ぐ。且つ、箱体１０正面には検査ボタン１２、指示ランプ１３、１４が設けられ、図４に示すように、箱体１０の背面には電池室が形成され、該電池室に電池２５が挿入されるほか、２つの予備イヤプラグカバー３６及びブラシ３５が設置され、且つ、電池室外部に蓋体１６（図４に示す）をスライド式に設けてもよい。
【００１３】
図２、図５、図６に示すように、該補聴器本体３０は、人体工学に基づき耳穴の輪郭に合わせて設けられ、前端にイヤプラグカバー３２を被せて設置するための連結管柱３１を備え（図６参照）、該イヤプラグカバー３２の上端中央に凸部を形成し、該凸部の横に複数個の開孔３３（図６参照）を設ける。これにより、補聴器本体３０を耳に押し入れ、長い間使用しても耳の中の耳垢が直接開孔３３内に入ることがなく、補聴器本体３０の出音機能への影響を防ぐことができ、且つ、補聴器の使用寿命を延長することができる。使用においては、付属のブラシ３５を用い、該開孔３３箇所の汚物を取り除くことができる。さらに、該補聴器本体３０の周縁部に音量調整ボタン３７（可変抵抗器）及び接触点３４（蓄電器）を設け、その内部の回路はマイクロフォン、複数の抵抗器、可変抵抗器、複数の蓄電器、複数のトランジスタ及びスピーカから構成され、該マイクロフォンが集めた音声が上述の抵抗器、蓄電器、トランジスタから成る増幅回路を介し、音声を増幅した後、スピーカを経て管柱３１から送出される。そのうち、該可変抵抗器の音量調整ボタン３７は、マイクロフォン出音音量の大きさを調整するために用いる。
【００１４】
図３、図７に示すように、本発明の補聴器本体３０の充電を行うときは、まず保護蓋１１を開き、イヤプラグカバー３２を上に向けて補聴器本体３０を充電器１０の収納槽２０内に挿入し、さらにイヤプラグカバー３２が付いているほうの先端を収納槽２０の左右に設けられた支持片２１内に軽く押し入れ、補聴器本体３０底部の充電接触端子３４と充電器１０の収納槽２０底部の接触端子１７を接触させ（図７に示す）、補聴器本体３０の充電を行う。充電中の状態において、外部の検査ボタン１２を押すと指示ランプ１４が点灯する場合は、充電器１０内部に設けた電池２５が電圧不足であり、新しい電池に交換する必要があることを示し、補聴器本体３０の円滑な充電を確実に行うことができる。また、外部の検査ボタン１２を押すと指示ランプ１３が点灯する場合は、補聴器本体３０がまだ充電状態にあることを示し、使用者に充電が完了したかどうかを知らせる。
【実施例２】
【００１５】
さらに、前述の実施例において、充電器１０が提供する電源は、充電器１０内に設置した電池２５が提供する電気エネルギーで充電を行うが、別の実施例においては、図８に示すように、本発明は同時に交流電流を直流電流に変換する（ＡＣ／ＤＣ）変圧器４０を設置し、充電器１０の挿入口蓋２４を開けて挿入口１９を露出させ、変圧器４０の一端のプラグ４１を挿入し、変圧を経た直流電流を使用者の自宅での使用に供することができる。屋内交流ＡＣ電源による充電で補聴器本体３０に対し十分に充電を行った後、戸外で使用することができる。
【実施例３】
【００１６】
さらに、図９に示すように、本発明は太陽エネルギーパネル４２を設け、太陽エネルギーを電気エネルギーに変換し、補聴器本体３０の電気エネルギー補充に用いることもできる。戸外での活動や長時間戸外でキャンプ等を行うとき、交流電源の設備がないときなどの使用に便利である。
【００１７】
以上の説明は、本発明の最良の実施例についての説明であり、本発明の実施範囲を制限するものではなく、本発明に基づくあらゆる変化や就職も、本発明の要旨を逸脱しないものとみなす。
【００１８】
上述のように、本発明の充電式補聴器は、補聴器の使用者による操作性を向上し、同時に関連費用を大幅に節約することができ、且つ、補聴器の使用寿命の延長につながるため、産業的利用価値が高く、ここに特許出願を提出するものである。
【図面の簡単な説明】
【００１９】
【図１】本発明の立体外観斜視図である。
【図２】本発明の立体分解図である。
【図３】本発明の補聴器を充電器に挿入する動作を示す立体図である。
【図４】本発明の充電器の電池室を示す立体外観斜視図である。
【図５】本発明の補聴器本体にイヤプラグカバーを被せる動作を示す立体図である。
【図６】本発明の補聴器本体にイヤプラグカバーを被せた状態の断面図である。
【図７】本発明の補聴器本体を充電器に挿入する動作を示す断面図である。
【図８】本発明の充電器の屋内充電方式を示す立体斜視図である。
【図９】本発明の充電器の屋外充電方式を示す立体斜視図である。
【符号の説明】
【００２０】
１０        充電器
１１        保護蓋
１２        検査ボタン
１３        指示ランプ
１４        指示ランプ
１５        係合片
１６        蓋体
１７        充電接触端子
１８        回路板
１９        挿入口
２０        収納槽
２１        支持片
２２        軸棒
２３        係合槽
２４        挿入口蓋
３０        補聴器本体
３１        管柱
３２        イヤプラグカバー
３３        開孔
３４        接触點
３５        ブラシ
３６        備用イヤプラグカバー
３７        音量調整ボタン
４０        変圧器
４１        プラグ
４２        太陽エネルギーパネル
【図１】
2006115438.tif 000003
【図２】
2006115438.tif 000004
【図３】
2006115438.tif 000005
【図４】
2006115438.tif 000006
【図５】
2006115438.tif 000007
【図６】
2006115438.tif 000008
【図７】
2006115438.tif 000009
【図８】
2006115438.tif 000010
【図９】
2006115438.tif 000011